(57)【要約】【課題】ハードウェアの故障により室外機が誤った制御を行なうことを確実に防止することができる空気調和機を提供する。【解決手段】室外機の制御部は制御用データが記憶されているＥＥＰＲＯＭから制御用データの読み出しを試み（ステップＳ１２）、制御用データを読み出すことができたか否かを判断する（ステップＳ１３）。制御部が制御用データを読み出すことができた場合は（Ｓ１３：ＹＥＳ）、読み出した制御用データを使用して動作を開始する（ステップＳ１４）。一方、制御用データを読み出すことができない場合は（Ｓ１３：ＮＯ）、室外機を動作させずに処理を終了する。【選択図】図２
2008089241.tif 000002
【特許請求の範囲】
【請求項１】
室外機を備え、該室外機は、制御用データを記憶する記憶部と、該記憶部から前記制御用データを読み出し、読み出した前記制御用データを使用して前記室外機の動作を制御する制御部とを有する空気調和機において、
前記制御部は、
前記記憶部から制御用データを読み出すことができたか否かを判断する手段を備え、
前記記憶部から制御用データを読み出すことができないと判断した場合は、前記室外機を動作させないようにしてあること
を特徴とする空気調和機。
【請求項２】
室外機を備え、該室外機は、制御用データを記憶する記憶部と、該記憶部から前記制御用データを読み出し、読み出した前記制御用データを使用して前記室外機の動作を制御する制御部とを有する空気調和機において、
前記制御部は、
前記記憶部から読み出した制御用データが正常であるか否かを判断する手段を備え、
前記記憶部から読み出した制御用データが正常でないと判断した場合は、前記室外機を動作させないようにしてあること
を特徴とする空気調和機。
【請求項３】
室外機を備え、該室外機は、制御用データを記憶する記憶部と、該記憶部から前記制御用データを読み出し、読み出した前記制御用データを使用して前記室外機の動作を制御する制御部とを有する空気調和機において、
前記制御部は、
前記記憶部から制御用データを読み出すことができたか否かを判断する手段と、
前記記憶部から読み出した制御用データが正常であるか否かを判断する手段と
を備え、
前記記憶部から制御用データを読み出すことができないと判断した場合、又は前記記憶部から読み出した制御用データが正常でないと判断した場合は、前記室外機を動作させないようにしてあること
を特徴とする空気調和機。
【請求項４】
室外機を備え、該室外機は、制御用データを記憶する記憶部と、該記憶部から前記制御用データを読み出し、読み出した前記制御用データを使用して前記室外機の動作を制御する制御部とを有する空気調和機において、
制御用データの予備データを記憶する予備記憶部を備え、
前記制御部は、
前記記憶部から制御用データを読み出すことができたか否かを判断する手段と、
前記記憶部から読み出した制御用データが正常であるか否かを判断する手段と
を備え、
前記記憶部から制御用データを読み出すことができないと判断した場合、又は前記記憶部から読み出した制御用データが正常でないと判断した場合は、
前記予備記憶部から予備データを読み出し、読み出した予備データを制御用データとして使用して前記室外機を動作させるようにしてあること
を特徴とする空気調和機。
【請求項５】
室外機を備え、該室外機は、制御用データを記憶する記憶部と、該記憶部から前記制御用データを読み出し、読み出した前記制御用データを使用して前記室外機の動作を制御する制御部とを有する空気調和機において、
制御用データの予備データを記憶する予備記憶部を備え、
前記制御部は、
前記記憶部から制御用データを読み出すことができたか否かを判断する手段と、
前記記憶部から読み出した制御用データが正常であるか否かを判断する手段と、
前記予備データを使用して室外機を動作させるか否かを設定する設定手段と
を備え、
前記記憶部から制御用データを読み出すことができないと判断した場合、又は前記記憶部から読み出した制御用データが正常でないと判断した場合に、
前記設定手段が予備データを使用して室外機を動作させるように設定されているときは前記予備記憶部から予備データを読み出し、読み出した予備データを制御用データとして使用して前記室外機を動作させ、前記設定手段が予備データを使用して室外機を動作させないように設定されているときは前記室外機を動作させないようにしてあること
を特徴とする空気調和機。
【請求項６】
複数の機種の室内機に接続されて動作することが可能な室外機を備え、該室外機は、接続されている室内機に対応して室外機を動作させるための制御用データを記憶する記憶部と、該記憶部から前記制御用データを読み出し、読み出した前記制御用データを使用して前記室外機の動作を制御する制御部とを有する空気調和機において、
前記制御部は、
前記記憶部から制御用データを読み出すことができたか否かを判断する手段を備え、
前記記憶部から制御用データを読み出すことができないと判断した場合は、前記室外機を動作させないようにしてあること
を特徴とする空気調和機。
【請求項７】
複数の機種の室内機に接続されて動作することが可能な室外機を備え、該室外機は、接続されている室内機に対応して室外機を動作させるための制御用データを記憶する記憶部と、該記憶部から前記制御用データを読み出し、読み出した前記制御用データを使用して前記室外機の動作を制御する制御部とを有する空気調和機において、
複数の機種の室内機に対応して動作させるための予備データを記憶する予備記憶部を備え、
前記制御部は、
前記記憶部から制御用データを読み出すことができたか否かを判断する手段と、
前記記憶部から読み出した制御用データが正常であるか否かを判断する手段と、
前記予備データを使用して室外機を動作させるか否かを設定する設定手段と
を備え、
前記記憶部から制御用データを読み出すことができないと判断した場合、又は前記記憶部から読み出した制御用データが正常でないと判断した場合に、
前記設定手段が予備データを使用して室外機を動作させるように設定されているときは前記予備記憶部から予備データを読み出し、読み出した予備データを制御用データとして使用して前記室外機を動作させ、前記設定手段が予備データを使用して室外機を動作させないように設定されているときは前記室外機を動作させないようにしてあること
を特徴とする空気調和機。
【請求項８】
前記設定手段の設定を外部から切り換える手段
を更に備えていることを特徴とする請求項５又は７に記載の空気調和機。
【発明の詳細な説明】
【技術分野】
【０００１】
本発明は、記憶部に予め記憶させてあるデータを使用して動作が制御される室外機を備える空気調和機に関し、特に、誤ったデータによって室外機が制御されることを確実に防止することができる空気調和機に関する。
【背景技術】
【０００２】
空気調和機は主として室内機と室外機とから構成されており、室内機及び室外機は夫々制御部を備えている。制御部は一般にＣＰＵ（Central Processing Unit）、ＲＯＭ（Read Only Memory）、ＲＡＭ（Ramdom Access Memory）を含むマイクロコンピュータ（以下マイコン）により構成される。
【０００３】
空気調和機の制御のためのデータの多くは、制御部を構成するマイコンのＲＯＭに予め記憶されている。しかし、空気調和機は、きめ細やかな制御が要求されていることから制御のために必要なデータ量が増加する傾向にある。また、比較的容量が大きく書き換えが可能な不揮発性メモリであるＥＥＰＲＯＭ（Electronically Erasable and Programmable Read Only Memory）を安価に入手することが近年可能になっている。これらの要因により、空気調和機はＥＥＰＲＯＭを備えて構成され、ＥＥＰＲＯＭに多くのデータを記憶させる傾向にある。
【０００４】
また、空気調和機の室内機は使用用途又は使用規模に応じて機能が細分された多数の機種が用意されているのに対し、室外機は、室内機の複数の機種に対応するように構成することにより汎用的に用いられる場合がある。
【０００５】
この場合、室外機が有するマイコンのＲＯＭには複数の機種の室内機を制御可能な共通の汎用的データを記憶させておき、室内機の機種毎に必要な機種特有のデータはＥＥＰＲＯＭに記憶させておく。ＥＥＰＲＯＭに機種特有のデータを記憶させる理由は、ＲＯＭは記憶させたデータを書き換えることができないマスクＲＯＭであることが多いが、ＥＥＰＲＯＭは空気調和機の製造ライン上又は空気調和機が市場に出た後でもデータを書き換えることができるからである。
【０００６】
ＲＯＭ及びＥＥＰＲＯＭに記憶させた制御用データは、マイコンの電源がオンになった場合にマイコンのＣＰＵがＲＯＭ及びＥＥＰＲＯＭから必要に応じてＲＡＭに読み出して使用する。しかし、ＥＥＰＲＯＭのハードウェア異常により必要な制御用データが読み出せない場合、又は制御プログラムの不具合によるＥＥＰＲＯＭへの不正データの書込みにより、読み出した制御用データが正常でない場合がある。
【０００７】
室外機が有するマイコンのＣＰＵがＥＥＰＲＯＭから制御用データを読み出せない場合、又はＣＰＵがＥＥＰＲＯＭから読み出した制御用データが正常なデータでない場合、室外機が誤った動作を行なう可能性及び異常停止する可能性が考えられる。
【０００８】
そこで、特許文献１には、圧縮機等を制御する制御部としてのマイコンを備える空気調和機に関し、複数の機種に汎用的に使用することが可能な平均的なデータをマイコンに含まれるＲＯＭに予め記憶しておき、電源がオンになった場合にＥＥＰＲＯＭから読み出した機種毎の制御用データが正常なデータでないと判断した場合は、ＲＯＭに記憶された汎用的なデータを制御用データとして使用して圧縮機等の動作を制御する技術が開示されている。
【０００９】
特許文献１に開示されている技術によれば、ＥＥＰＲＯＭから読み出した制御用データが正常なデータでない場合でも、代わりに汎用的なデータを制御用データとして使用することで一定の能力で圧縮機等を継続して動作させ、空気調和機の誤動作を防止することが一応は可能である。
【特許文献１】特開平１０−３８３５３号公報
【発明の開示】
【発明が解決しようとする課題】
【００１０】
しかしながら、特許文献１に開示されている技術では室外機が汎用的なデータを使用して動作することで室内機の性能が著しく低下する可能性があることは考慮されていない。また、汎用的なデータであっても室内機の機種特有の最適化されたデータとは異なることは明らかであるので、想定外の動作が行なわれてしまう可能性もあり得る。
【００１１】
さらに、使用者は、室外機が室内機に適合した制御用データを使用して動作しているのか又は汎用的なデータを制御用データとして使用して動作しているのかを認識することができない。したがって、汎用的なデータを制御用データとして使用して室外機が動作している場合、使用者は本来の性能が発揮されていないと思い、製品の能力に不満を感じ、又は性能の悪い製品であると誤判断する虞がある。
【００１２】
本発明は斯かる事情に鑑みてなされたものであり、ハードウェアの故障により室外機が誤った制御を行なうことを確実に防止することができる空気調和機を提供することを目的とする。
【００１３】
本発明の他の目的は、制御に使用するデータが正常でないために室外機が誤った制御を行なうことを確実に防止することができる空気調和機を提供することにある。
【００１４】
本発明の他の目的は、ハードウェアの故障又は不正データの書込みのいずれかにより室外機が誤った制御を行なうことを更に確実に防止することができる空気調和機を提供することを目的とする。
【００１５】
本発明の他の目的は、室外機の不必要な動作停止を防ぎ、信頼性の高い空気調和機を提供することにある。
【００１６】
また、本発明の他の目的は、複数の機種の室内機に対応して誤った制御を行なうことを防止することができる汎用性の高い室外機を備えた空気調和機を提供することにある。
【課題を解決するための手段】
【００１７】
本発明に係る空気調和機は、室外機を備え、該室外機は、制御用データを記憶する記憶部と、該記憶部から前記制御用データを読み出し、読み出した前記制御用データを使用して前記室外機の動作を制御する制御部とを有する空気調和機において、前記制御部は、前記記憶部から制御用データを読み出すことができたか否かを判断する手段を備え、前記記憶部から制御用データを読み出すことができないと判断した場合は、前記室外機を動作させないようにしてあることを特徴とする。
【００１８】
本発明に係る空気調和機は、室外機を備え、該室外機は、制御用データを記憶する記憶部と、該記憶部から前記制御用データを読み出し、読み出した前記制御用データを使用して前記室外機の動作を制御する制御部とを有する空気調和機において、前記制御部は、前記記憶部から読み出した制御用データが正常であるか否かを判断する手段を備え、前記記憶部から読み出した制御用データが正常でないと判断した場合は、前記室外機を動作させないようにしてあることを特徴とする。
【００１９】
本発明に係る空気調和機は、室外機を備え、該室外機は、制御用データを記憶する記憶部と、該記憶部から前記制御用データを読み出し、読み出した前記制御用データを使用して前記室外機の動作を制御する制御部とを有する空気調和機において、前記制御部は、前記記憶部から制御用データを読み出すことができたか否かを判断する手段と、前記記憶部から読み出した制御用データが正常であるか否かを判断する手段とを備え、前記記憶部から制御用データを読み出すことができないと判断した場合、又は前記記憶部から読み出した制御用データが正常でないと判断した場合は、前記室外機を動作させないようにしてあることを特徴とする。
【００２０】
本発明に係る空気調和機は、室外機を備え、該室外機は、制御用データを記憶する記憶部と、該記憶部から前記制御用データを読み出し、読み出した前記制御用データを使用して前記室外機の動作を制御する制御部とを有する空気調和機において、制御用データの予備データを記憶する予備記憶部を備え、前記制御部は、前記記憶部から制御用データを読み出すことができたか否かを判断する手段と、前記記憶部から読み出した制御用データが正常であるか否かを判断する手段とを備え、前記記憶部から制御用データを読み出すことができないと判断した場合、又は前記記憶部から読み出した制御用データが正常でないと判断した場合は、前記予備記憶部から予備データを読み出し、読み出した予備データを制御用データとして使用して前記室外機を動作させるようにしてあることを特徴とする。
【００２１】
本発明に係る空気調和機は、室外機を備え、該室外機は、制御用データを記憶する記憶部と、該記憶部から前記制御用データを読み出し、読み出した前記制御用データを使用して前記室外機の動作を制御する制御部とを有する空気調和機において、制御用データの予備データを記憶する予備記憶部を備え、前記制御部は、前記記憶部から制御用データを読み出すことができたか否かを判断する手段と、前記記憶部から読み出した制御用データが正常であるか否かを判断する手段と、前記予備データを使用して室外機を動作させるか否かを設定する設定手段とを備え、前記記憶部から制御用データを読み出すことができないと判断した場合、又は前記記憶部から読み出した制御用データが正常でないと判断した場合に、前記設定手段が予備データを使用して室外機を動作させるように設定されているときは前記予備記憶部から予備データを読み出し、読み出した予備データを制御用データとして使用して前記室外機を動作させ、前記設定手段が予備データを使用して室外機を動作させないように設定されているときは前記室外機を動作させないようにしてあることを特徴とする。
【００２２】
本発明に係る空気調和機は、複数の機種の室内機に接続されて動作することが可能な室外機を備え、該室外機は、接続されている室内機に対応して室外機を動作させるための制御用データを記憶する記憶部と、該記憶部から前記制御用データを読み出し、読み出した前記制御用データを使用して前記室外機の動作を制御する制御部とを有する空気調和機において、前記制御部は、前記記憶部から制御用データを読み出すことができたか否かを判断する手段を備え、前記記憶部から制御用データを読み出すことができないと判断した場合は、前記室外機を動作させないようにしてあることを特徴とする。
【００２３】
本発明に係る空気調和機は、複数の機種の室内機に接続されて動作することが可能な室外機を備え、該室外機は、接続されている室内機に対応して室外機を動作させるための制御用データを記憶する記憶部と、該記憶部から前記制御用データを読み出し、読み出した前記制御用データを使用して前記室外機の動作を制御する制御部とを有する空気調和機において、複数の機種の室内機に対応して動作させるための予備データを記憶する予備記憶部を備え、前記制御部は、前記記憶部から制御用データを読み出すことができたか否かを判断する手段と、前記記憶部から読み出した制御用データが正常であるか否かを判断する手段と、前記予備データを使用して室外機を動作させるか否かを設定する設定手段とを備え、前記記憶部から制御用データを読み出すことができないと判断した場合、又は前記記憶部から読み出した制御用データが正常でないと判断した場合に、前記設定手段が予備データを使用して室外機を動作させるように設定されているときは前記予備記憶部から予備データを読み出し、読み出した予備データを制御用データとして使用して前記室外機を動作させ、前記設定手段が予備データを使用して室外機を動作させないように設定されているときは前記室外機を動作させないようにしてあることを特徴とする。
【００２４】
本発明に係る空気調和機は、前記設定手段の設定を外部から切り換える手段を更に備えていることを特徴とする。
【００２５】
本発明にあっては、空気調和機の室外機の動作を記憶部から制御用データを読み出して制御する制御部は、制御用データを読み出すことができないと判断した場合、室外機を動作させない。
【００２６】
本発明にあっては、空気調和機の室外機の動作を記憶部から制御用データを読み出して制御する制御部は、読み出した制御用データが正常でないと判断した場合、室外機を動作させない。
【００２７】
本発明にあっては、空気調和機の室外機の動作を記憶部から制御用データを読み出して制御する制御部は、制御用データを読み出すことができないと判断した場合、又は読み出した制御用データが正常でないと判断した場合のいずれの場合にも、室外機を動作させない。
【００２８】
本発明にあっては、空気調和機の室外機の動作を記憶部から制御用データを読み出して制御する制御部は、制御用データを読み出すことができないと判断した場合、又は読み出した制御用データが正常でないと判断した場合のいずれの場合にも、予備データを予備記憶部から読み出し、読み出した予備データを制御用データとして使用して室外機を動作させる。
【００２９】
本発明にあっては、空気調和機の室外機の動作を記憶部から制御用データを読み出して制御する制御部は、予備データを制御用データとして使用して室外機を動作させるか否かを設定する。記憶部から制御用データを読み出すことができないと判断した場合、又は記憶部から読み出した制御用データが正常でないと判断した場合のいずれの場合にも、予備データを使用して室外機を動作させない設定がされているときには室外機を動作させない一方、予備データを使用して室外機を動作させる設定がされているときには、予備データを予備記憶部から読み出し、予備データを制御用データとして使用して室外機を動作させる。
【００３０】
本発明にあっては、外部からの切り換えにより予備データを制御用データとして使用して室外機を動作させるか否かが設定される。
【発明の効果】
【００３１】
本発明による場合は、空気調和機は記憶部自体の故障等ハードウェアの故障により、室外機の制御部が記憶部から制御に必要な制御用データを読み出すことができないときは室外機を動作させないので、ハードウェアの故障により室外機が誤った動作を行なうことを確実に防止することができる。
【００３２】
本発明による場合は、空気調和機は室外機の制御部が記憶部から制御に必要な制御用データを読み出し、読み出した制御用データが正常でないと判断したときは室外機を動作させないので、制御に使用する制御用データが正常でないために室外機が誤った動作を行なうことを確実に防止することができる。
【００３３】
本発明による場合は、空気調和機は室外機の制御部が記憶部から制御に必要な制御用データを読み出すことができないと判断したとき、又は読み出した制御用データが正常でないと判断したときのいずれか、即ちハードウェアの故障又は不正データの書込みのいずれかによる不具合が発生している場合には室外機を動作させないようにするので、室外機が誤った動作を行なうことを更に確実に防止することができる。
【００３４】
本発明による場合は、空気調和機は室外機の制御部が記憶部から制御に必要な制御用データを読み出すことができないと判断したとき、又は読み出した制御用データが正常でないと判断したときのいずれかのときは、予備データを制御用データとして使用して室外機を動作させることができるので、不必要な動作停止を防いで信頼性を高めることができる。
【００３５】
本発明による場合は、予備データを使用して動作させるか否かを設定した上で、予備データを使用して動作させると設定されているときは予備データを制御用データとして使用して室外機を動作させ、予備データでは動作させないと設定されているときは室外機を動作させない。したがって、予備データを使用して室外機を動作させることが不適切な場合は室内機に対し誤った動作を行なうことを確実に防止することができ、予備データを使用して室外機を動作させ得る場合は、不必要な動作停止を防ぐことができる。予備データを使用して室外機を動作させることが不適切か否かに対しては、室外機での設定を変更するのみでよいので、複数の機種の室内機に対する室外機の汎用性が高くなる。
【００３６】
本発明による場合は、予備データを使用して室外機を動作させるか否かの設定を外部から切り換えることが可能であるので、製造ライン上又は市場に出た後であっても接続される室内機に応じて設定を切り換えることができ、室外機の汎用性が高くなる。
【発明を実施するための最良の形態】
【００３７】
以下本発明をその実施の形態を示す図面に基づき具体的に説明する。
【００３８】
（実施の形態１）
図１は、本発明の実施の形態１における空気調和機の構成を示すブロック図である。空気調和機は主として室内機１と室外機２とで構成される。室内機１と室外機２とは制御信号を入出力するケーブル３により接続されている。また、室内機１と室外機２との間は冷媒が循環するための管４で接続されている。なお、室内機１は空気調和機が設置される空間の容量又は空気調和機の機能に応じて多数の機種が用意されており、実施の形態１における空気調和機を構成する室内機１は、そのうちの一機種である。
【００３９】
室内機１は、室内機１の動作を制御するマイコン１０と、ユーザによる操作を受け付けるリモコン（リモートコントローラ）１１と、リモコン１１からの信号を受信するリモコン受信部１２と、冷媒により熱交換を行なう室内熱交換器１３と、室内熱交換器１３に接触して温度が調整された空気を室内に送風する室内送風機１４と、室内送風機１４の動作を制御する室内送風機駆動部１５とを備える。
【００４０】
リモコン１１は、電源ボタン、運転切換ボタン等の各種ボタンを有し、赤外線通信によって各種ボタンのうちのいずれかが押下されたことを示す信号を送信する。リモコン１１が赤外線通信によって送信した信号はリモコン受信部１２が受信し、リモコン受信部１２は各種ボタンのいずれが押下されたかをマイコン１０へ通知する。マイコン１０はリモコン１１からの信号をリモコン受信部１２からの通知により検知してユーザによる操作を受け付け、受け付けた操作に基づいて室内送風機駆動部１５及び後述する室外機２のマイコン２０へ制御信号を送信する。例えば、マイコン１０はリモコン１１の電源ボタンが押下されたことをリモコン受信部１２からの通知により検知した場合、室内送風機１４を動作させるための制御信号を室内送風機駆動部１５へ出力すると共に、室外機２を動作させるための制御信号を室外機２のマイコン２０へ出力する。
【００４１】
室外機２は、室外機２の動作を制御するためのマイコン２０と、室内機１の機種に対応した制御用データ２１１を記憶したＥＥＰＲＯＭ２１と、冷媒を圧縮する圧縮機２２と、圧縮機２２を駆動する圧縮機駆動部２３と、冷媒を減圧する減圧器２４と、冷媒により熱交換を行なう室外熱交換器２５と、外気を吸入して室外熱交換器２５に接触させ外部へ送出する室外送風機２６と、室外送風機２６の動作を制御する室外送風機駆動部２７とを備える。
【００４２】
室外機２が備えるマイコン２０は更に、室外機２の動作を制御するＣＰＵ２０１と、不揮発性メモリであるＲＯＭ２０２と、揮発性メモリであるＲＡＭ２０３とを有している。
【００４３】
ＲＯＭ２０２には、室外機２が動作するための制御プログラムが記憶されており、ＣＰＵ２０１がＲＯＭ２０２から制御プログラムを必要に応じてＲＡＭ２０３に読み出して実行することにより、圧縮機２２及び室外送風機２６を含む室外機２の動作を制御する。ＣＰＵ２０１が圧縮機２２及び室外送風機２６を含む室外機２の動作を制御する際には、ＣＰＵ２０１は、接続されている室内機１の機種に対応した制御用データ２１１をＥＥＰＲＯＭ２１からＲＡＭ２０３に読み出し、制御用データ２１１を使用して室外機２の動作を制御する。
【００４４】
空気調和機は、室内機１が備える室内熱交換器１３、室外機２が備える圧縮機２２、室外熱交換器２５、減圧器２４が管４により接続されており、管４の中を循環する冷媒の吸熱／放熱を利用して室内機１が設置されている室内の空気の温度を調整する。
【００４５】
圧縮機２２はシリンダーと回転するピストンとからなり、ピストンの回転によってシリンダー内の冷媒を圧縮する。冷媒は圧縮機２２によって高温・高圧の気体にされる。圧縮機駆動部２３は、ＣＰＵ２０１からの制御信号により圧縮機２２のピストンの動作停止／開始、回転数等を制御する。
【００４６】
空気調和機が冷房運転により動作している場合、圧縮機２２によって高温・高圧にされた冷媒は、熱交換の効率を上げるために表面積を大きくしてある室外熱交換器２５を通過する間に放熱により温度が低下し、更に液化される。室外送風機２６はファンを備えており、このファンによって室外機２外から空気を吸入して室外熱交換器２５へ送風することにより、室外熱交換器２５に接触した後の空気を室外機２外へ送出する。室外送風機２６による送風によって、室外熱交換器２５に接触して冷媒から熱を吸収することで温度が上昇した空気は室外機２外へ送出される。また、室外送風機駆動部２７は、マイコン２０のＣＰＵ２０１からの制御信号によりファンの回転開始／停止、回転周波数等を制御する。
【００４７】
減圧器２４は毛細管からなる。冷媒は減圧器２４を通過する間に熱を放出しつつ減圧される。冷媒は減圧器２４によって高圧・高温の液体から低圧・低温の液体にされる。
【００４８】
空気調和機が冷房運転により動作している場合、減圧器２４を通過することにより低圧・低温にされた冷媒は、室内熱交換器１３を通過する間に室内送風機１４によって送風された空気からの吸熱により温度が上昇し、更に気化する。室内送風機１４はファンを備えており、このファンによって室内の空気を室内機１に吸入して室内熱交換器１３へ送風し、室内熱交換器１３に接触した後の空気を室内へ送出する。室内送風機１４による送風によって、室内熱交換器１３で冷媒に熱を奪われて温度が低下した空気は、効率良く室内へ送出される。また、室内送風機駆動部１５は、マイコン１０からの制御信号によりファンの回転開始／停止、回転周波数等を制御する。
【００４９】
なお、室外機２は図示しない四方弁を備えており、空気調和機が冷房運転から暖房運転へ切り換えられた場合に、圧縮機２２によって高温・高圧にされた冷媒が室外熱交換器２５ではなく、室内熱交換器１３へ循環し、更に室内熱交換器１３から減圧器２４へ、減圧器２４から室外熱交換器２５へ、室外熱交換器２５から圧縮機２２へ循環するように冷媒の流れを変更することができるようにしてある。これによって、高温・高圧にされた冷媒が室内熱交換器１３を通過する間に放熱することで、室内熱交換器１３に接触した空気は熱を吸収して温度が上昇し、温度が上昇した空気は室内送風機１４の送風により効率良く室内へ送出される。なお、四方弁の開閉は、リモコン１１の運転切換ボタンの押下を室内機１のマイコン１０を介して検知した室外機２のＣＰＵ２０１が制御する。
【００５０】
ＣＰＵ２０１が、室内機１に対応してＥＥＰＲＯＭ２１に記憶されている制御用データ２１１を使用して圧縮機駆動部２３及び室外送風機駆動部２７へ制御信号を出力することで、圧縮機２２及び室外送風機２６が接続されている室内機１に適合した回転数等によって動作をするようにきめ細やかな制御を実現する。
【００５１】
ここで、制御用データ２１１を記憶しているＥＥＰＲＯＭ２１が故障している場合等ハードウェアの故障によって、ＣＰＵ２０１がＥＥＰＲＯＭ２１から制御用データ２１１を読み出せない場合が考えられる。本発明の実施の形態１における空気調和機を構成する室外機２のＣＰＵ２０１は、ＥＥＰＲＯＭ２１から制御用データ２１１を読み出せない場合には、室外機２を動作させないようにする。以下に、室外機２のＣＰＵ２０１がＥＥＰＲＯＭ２１から制御用データ２１１を読み出すことができたか否かを判断し、室外機２の動作の可否を判断する処理について説明する。
【００５２】
図２は、本発明の実施の形態１における空気調和機を構成する室外機２のＣＰＵ２０１が、電源オンを検知した場合に室外機２を動作させるか否かを判断する処理手順を示すフローチャートである。
【００５３】
ＣＰＵ２０１は、電源がオンにされたことを検知したか否かを判断する（ステップＳ１１）。電源がオンにされたことを検知したか否かは、室内機１のマイコン１０がリモコン１１及びリモコン受信部１２を介して電源ボタンの押下を検知し、室外機２のＣＰＵ２０１へ通知することによりＣＰＵ２０１が判断することが可能である。ＣＰＵ２０１は、電源がオンにされたことを検知していないと判断した場合は（Ｓ１１：ＮＯ）、処理をステップＳ１１へ戻し、電源がオンにされたことを検知したと判断するまで待機する。
【００５４】
ＣＰＵ２０１は、電源がオンにされたことを検知したと判断した場合は（Ｓ１１：ＹＥＳ）、ＥＥＰＲＯＭ２１から制御用データ２１１の読み出しを試みる（ステップＳ１２）。ＣＰＵ２０１は、ＥＥＰＲＯＭ２１から制御用データ２１１を読み出すことができたか否かを判断する（ステップＳ１３）。
【００５５】
ＣＰＵ２０１は、ＥＥＰＲＯＭ２１から制御用データ２１１を読み出すことができたと判断した場合（Ｓ１３：ＹＥＳ）、読み出した制御用データ２１１を使用して室外機２を動作させる（ステップＳ１４）。その後、ＣＰＵ２０１は、電源がオフにされたことを検知したか否かを判断し（ステップＳ１５）、電源がオフにされたことを検知していないと判断した場合は（Ｓ１５：ＮＯ）、電源がオフにされたことを検知したと判断するまで読み出した制御用データ２１１を使用した動作を継続する。
【００５６】
ＣＰＵ２０１は、電源がオフにされたことを検知したと判断した場合は（Ｓ１５：ＹＥＳ）、室外機２の動作を停止し（ステップＳ１６）、処理を終了する。
【００５７】
一方、ステップＳ１３において、ＣＰＵ２０１は、ＥＥＰＲＯＭ２１から制御用データ２１１を読み出すことができないと判断した場合は（Ｓ１３：ＮＯ）、室外機２を動作させずに処理を終了する。
【００５８】
上述の処理手順のステップＳ１３において、室外機２のＣＰＵ２０１は、ＥＥＰＲＯＭ２１から制御用データ２１１を読み出すことができたか否かを例えば以下のように判断する。
【００５９】
ＣＰＵ２０１とＥＥＰＲＯＭ２１とが８ビット毎にデータの送受信をする場合、データを受信した側は受信を確認したことを示すアクノリッジ（Acknowledge）信号と呼ばれる信号を９ビット目に出力する。送信側は９ビット目を確認することにより、送信したデータが受信側で受信することができたか否かを判断することができる。
【００６０】
ＣＰＵ２０１がＥＥＰＲＯＭ２１から制御用データ２１１の読み出しを試みる場合、ＣＰＵ２０１からＥＥＰＲＯＭ２１へ制御用データ２１１のアドレスを送信する。ＥＥＰＲＯＭ２１はアドレス受信後に、受信したアドレスが有効である場合はアクノリッジ信号を出力し、受信したアドレスが無効である場合はアクノリッジ信号を出力しない。したがって、ＣＰＵ２０１はＥＥＰＲＯＭ２１からのアクノリッジ信号を確認できたか否かにより、ＥＥＰＲＯＭ２１から制御用データ２１１を読み出すことができたか否かを判断することができる。
【００６１】
室外機２のＣＰＵ２０１がステップＳ１３の判断手順により、ＥＥＰＲＯＭ２１から制御用データ２１１を読み出すことができずに室外機２を動作させない場合は、室内機１のマイコン１０でこれを検知して室内機１も動作させないようにするので空気調和機全体としても動作しない。このような処理手順により、本発明の実施の形態１における空気調和機は、ＥＥＰＲＯＭ２１自体に故障が発生している場合等のハードウェアの故障により室外機２が誤った制御を行なうことを確実に防止することができる。
【００６２】
（実施の形態２）
本発明の実施の形態２における空気調和機は、室外機２のＣＰＵ２０１の処理手順のみが実施の形態１における空気調和機と異なる。したがって、以下実施の形態１と同一の符号を用いて実施の形態２における空気調和機を構成する室外機２のＣＰＵ２０１の処理手順について説明する。
【００６３】
図３は、本発明の実施の形態２における空気調和機を構成する室外機２のＣＰＵ２０１が、電源オンを検知した場合に室外機２を動作させるか否かを判断する処理手順を示すフローチャートである。なお、図３に示す室外機２のＣＰＵ２０１の処理手順のステップＳ２１〜ステップＳ２６のうちのステップＳ２２及びステップＳ２３以外は図２に示した実施の形態１における室外機２のＣＰＵ２０１の処理手順のステップＳ１１〜ステップＳ１６と同様であるため、以下においては詳細な説明を省略する。
【００６４】
ＣＰＵ２０１は、電源がオンにされたことを検知したと判断した場合は（Ｓ２１：ＹＥＳ）、ＥＥＰＲＯＭ２１から制御用データ２１１を読み出し（ステップＳ２２）、ＥＥＰＲＯＭ２１から読み出したデータが正常であるか否かを判断する（ステップＳ２３）。
【００６５】
ＣＰＵ２０１は、ＥＥＰＲＯＭ２１から読み出した制御用データ２１１が正常であると判断した場合（Ｓ２３：ＹＥＳ）、ステップＳ２４〜ステップＳ２６までの処理を行ない、処理を終了する。一方、ＣＰＵ２０１は、ＥＥＰＲＯＭ２１から読み出した制御用データ２１１が正常でないと判断した場合は（Ｓ２３：ＮＯ）、室外機２を動作させずに処理を終了する。
【００６６】
上述の処理手順のステップＳ２３において、室外機２のＣＰＵ２０１は、ＥＥＰＲＯＭ２１から読み出した制御用データが正常なデータであるか否かを例えば以下のように判断する。判断の方法の例としては、以下に説明する３つの方法が可能である。図４は、本発明の実施の形態２における空気調和機の室外機２のＥＥＰＲＯＭ２１に記憶されている制御用データ２１１の構成を示す説明図である。
【００６７】
図４の升目に表された×印は夫々、制御用データ２１１の１ビットを表している。図４に示す例には、ＥＥＰＲＯＭ２１で制御用データ２１１が例えば１６ビット毎にアドレスが割り振られており、０番目からｎ−１番目のアドレスまでに制御用データ２１１が記憶されていることが表されている。ｎ番目のアドレスには、チェック用データが記憶されている。チェック用データは、０番目からｎ−１番目のアドレスまでのデータビットの排他的論理和をとった値であり、製造ライン上でＥＥＰＲＯＭ２１に制御用データ２１１が書き込まれる際に予め記憶される。ｎ＋１番目のアドレスには、製造ライン上でＥＥＰＲＯＭ２１に制御用データ２１１が書き込まれた否かを示す書込確認データが記憶されている。書込確認データは、製造ライン上でＥＥＰＲＯＭ２１に制御用データ２１１が書き込まれる際に共に記憶される００（ｈｅｘ）又はＦＦ（ｈｅｘ）以外のデータである。さらに、ｎ＋２番目のアドレスには、制御用データ２１１のバージョンを示すバージョンデータが予め記憶されている。バージョンデータも、製造ライン上でＥＥＰＲＯＭ２１に制御用データ２１１が書き込まれる際に予め記憶される。なお、同一のバージョンデータがＲＯＭ２０２にも記憶されている。
【００６８】
図４に示されたｎ番目のアドレスに記憶されているチェック用データ、ｎ＋１番目のアドレスに記憶されている書込確認データ、ｎ＋２番目のアドレスに記憶されているバージョンデータを使用して、以下に示す３つの方法によりＥＥＰＲＯＭ２１から読み出した制御用データ２１１が正常であるか否かの判断をする。
【００６９】
まず、ｎ番目のアドレスに記憶されたチェック用データを使用した判断の方法について説明する。ＣＰＵ２０１は、ステップＳ２１において電源がオンになったことを検知した後、ステップＳ２２においてＥＥＰＲＯＭ２１からデータを１６ビットずつ読み出してＲＡＭ２０３に書き込む。このとき、ＣＰＵ２０１は図４に示したように各アドレスのデータを読み出す際に、一つ前のアドレスのデータとの排他的論理和をとる。例えば、１番目のアドレスのデータを読み出した場合、既に読み出した０番目のアドレスのデータとの排他的論理和をとり、２番目のアドレスを読み出した場合、１番目のアドレスのデータを読み出した際にとった排他的論理和の結果との排他的論理和を更にとる。これを繰り返して得られた排他的論理和の結果と、ＥＥＰＲＯＭ２１のｎ番目のアドレスにチェック用データとして記憶された排他的論理和とを比較し、一致した場合はＥＥＰＲＯＭ２１から読み出した制御用データ２１１は正常であると判断し、一致しなかった場合はＥＥＰＲＯＭ２１から読み出した制御用データ２１１は正常でないと判断する。
【００７０】
次に、ｎ＋１番目のアドレスに記憶された書込確認データを使用した判断の方法について説明する。ＣＰＵ２０１は、ｎ＋１番目のアドレスに記憶された書込確認データを読み出して、１６ビットのデータが００（ｈｅｘ）又はＦＦ（ｈｅｘ）のいずれかであるか否かを判断する。製造ライン上でＥＥＰＲＯＭ２１に制御用データ２１１が記憶された場合には、００（ｈｅｘ）又はＦＦ（ｈｅｘ）以外のデータが書込確認データに記憶されているはずだからである。ＣＰＵ２０１が読み出した書込確認データが００（ｈｅｘ）又はＦＦ（ｈｅｘ）以外である場合は、ＣＰＵ２０１は、ＥＥＰＲＯＭ２１から読み出した制御用データ２１１が正常であると判断する。一方、ＣＰＵ２０１が読み出した書込確認データが００（ｈｅｘ）又はＦＦ（ｈｅｘ）のいずれかである場合は、製造ライン上でＥＥＰＲＯＭ２１に制御用データ２１１が書き込まれなかったことを示すので、ＣＰＵ２０１は、ＥＥＰＲＯＭ２１から読み出した制御用データ２１１が正常でないと判断する。
【００７１】
さらに、ｎ＋２番目のアドレスに記憶されたバージョンデータを使用した判断の方法について説明する。ＣＰＵ２０１は、ｎ＋２番目のアドレスに記憶されたバージョンデータを読み出し、ＲＯＭ２０２からもバージョンデータを読み出す。ＣＰＵ２０１は、読み出した二つのバージョンデータを比較し、同一である場合はＥＥＰＲＯＭ２１から読み出した制御用データ２１１が正常であると判断する。一方、読み出した二つのバージョンデータが異なる場合はＥＥＰＲＯＭ２１から読み出した制御用データ２１１が正常ではないと判断する。
【００７２】
ＣＰＵ２０１は、前述した３つの方法のいずれか１つ又は２つによってＥＥＰＲＯＭ２１から読み出した制御用データ２１１が正常であるか否かの判断をしてもよいし、３つの方法全てによってＥＥＰＲＯＭ２１から読み出した制御用データ２１１が正常であるか否かの判断をしてもよい。
【００７３】
これにより、製造ライン上でＥＥＰＲＯＭ２１にデータを書き込む際にノイズの混入によりデータが一部書き換わってしまった場合、製造ライン上でＥＥＰＲＯＭ２１へデータを書き込む工程が何らかの事情により行なわれずにデータが書き込まれなかった場合等、ＥＥＰＲＯＭ２１上の制御用データ２１１が正常なデータでない場合に、室外機２が誤った動作を行なうことを確実に防止することができる。
【００７４】
（実施の形態３）
本発明の実施の形態３における空気調和機は、室外機２のＣＰＵ２０１の処理手順のみが実施の形態１における空気調和機と異なる。したがって、以下実施の形態１と同一の符号を用いて実施の形態３における空気調和機を構成する室外機２のＣＰＵ２０１の処理手順について説明する。
【００７５】
図５は、本発明の実施の形態３における空気調和機を構成する室外機２のＣＰＵ２０１が、電源オンを検知した場合に室外機２を動作させるか否かを判断する処理手順を示すフローチャートである。なお、図５に示す室外機２のＣＰＵ２０１の処理手順のステップＳ３１〜ステップＳ３７のうちのステップＳ３４が追加されている以外は図２に示した実施の形態１における室外機２のＣＰＵ２０１の処理手順のステップＳ１１〜ステップＳ１６と同様であるため、以下においては詳細な説明を省略する。
【００７６】
ＣＰＵ２０１は、ＥＥＰＲＯＭ２１から制御用データ２１１を読み出すことができたと判断した場合（Ｓ３３：ＹＥＳ）、ＥＥＰＲＯＭ２１から読み出した制御用データ２１１が正常であるか否かを判断する（ステップＳ３４）。ＣＰＵ２０１は、ＥＥＰＲＯＭ２１から読み出した制御用データ２１１が正常であると判断した場合は（Ｓ３４：ＹＥＳ）、ステップＳ３５〜ステップＳ３７までの処理を行ない、処理を終了する。
【００７７】
一方、ＣＰＵ２０１は、ＥＥＰＲＯＭ２１から読み出した制御用データ２１１が正常でないと判断した場合は（Ｓ３４：ＮＯ）、室外機２を動作させずに処理を終了する。
【００７８】
上述の処理手順のステップＳ３３における、室外機２のＣＰＵ２０１がＥＥＰＲＯＭ２１から制御用データ２１１を読み出すことができたか否かの判断は、実施の形態１における室外機２のＣＰＵ２０１の処理手順のうちのステップＳ１３での判断と同様である。また同様に、ステップＳ３４における、室外機２のＣＰＵ２０１がＥＥＰＲＯＭ２１から読み出した制御用データ２１１が正常であるか否かの判断は、実施の形態２における室外機２のＣＰＵ２０１の処理手順のうちのステップＳ２３での判断と同様である。
【００７９】
このような処理手順により、本発明の実施の形態３における空気調和機は、ＥＥＰＲＯＭ２１自体に故障が発生している場合等のハードウェアの故障に対しても、ＥＥＰＲＯＭ２１に記憶された制御用データ２１１がノイズの混入により正常なデータでない場合等の不具合に対しても、空気調和機として動作しないために室外機２が誤った制御を行なうことを更に確実に防止することができる。
【００８０】
（実施の形態４）
図６は、本発明の実施の形態４における空気調和機の構成を示すブロック図である。実施の形態４における空気調和機は、室外機２のＲＯＭ２０２に予備データ２０４が記憶されていること、及びそれによるＣＰＵ２０１の処理手順が実施の形態１における空気調和機と異なる。したがって、以下実施の形態１と同一の符号を用いてＲＯＭ２０２に記憶される予備データ２０４、及びＣＰＵ２０１の処理手順について説明する。
【００８１】
図６に示された空気調和機の室外機２のＲＯＭ２０２には、予備データ２０４が記憶されている。予備データ２０４は、複数の機種の室内機１に対する室外機２の動作に共通して汎用的に使用することができるデータである。ＣＰＵ２０１は以下に説明する処理手順で示すように、一定の条件の下ではＲＯＭ２０２から予備データ２０４を読み出し、読み出した予備データ２０４を使用して室外機２の動作を制御する。
【００８２】
図７は、本発明の実施の形態４における空気調和機を構成する室外機２のＣＰＵ２０１が、電源オンを検知した場合に室外機２を動作させるか否かを判断する処理手順を示すフローチャートである。なお、図７に示す室外機２のＣＰＵ２０１の処理手順のステップＳ４１〜ステップＳ４９のうちのステップＳ４８及びステップＳ４９以外は図５に示した実施の形態３における室外機２のＣＰＵ２０１の処理手順のステップＳ３１〜ステップＳ３７と同様であるので、以下においては詳細な説明を省略する。
【００８３】
ＣＰＵ２０１は、ステップＳ４３においてＥＥＰＲＯＭ２１から制御用データ２１１を読み出すことができないと判断した場合は（Ｓ４３：ＮＯ）、室外機２を動作させないのではなく、ＲＯＭ２０２から予備データ２０４を読み出し（ステップＳ４８）、読み出した予備データ２０４を使用して室外機２の動作を開始する（ステップＳ４９）。
【００８４】
また、ＣＰＵ２０１は、ステップＳ４３においてＥＥＰＲＯＭ２１から制御用データ２１１を読み出すことができたとしても、ステップＳ４４においてＥＥＰＲＯＭ２１から読み出した制御用データ２１１が正常でないと判断した場合は（Ｓ４４：ＮＯ）、前述のステップＳ４８及びステップＳ４９の処理を行なう。
【００８５】
ＣＰＵ２０１は、その後、電源がオフにされたことを検知したか否かを判断し（Ｓ４６）、電源がオフにされたことを検知したと判断するまで読み出した制御用データ２１１又は予備データ２０４を使用した動作を継続する。
【００８６】
このような処理手順により、本発明の実施の形態４における空気調和機は、ＥＥＰＲＯＭ２１自体に故障が発生している場合等のハードウェアの故障に対しても、ＥＥＰＲＯＭ２１に記憶された制御用データ２１１がノイズの混入により正常なデータでない場合等の不具合に対しても、汎用的な予備データ２０４を使用して室外機２を動作させる。実施の形態４に示した空気調和機は、室内機１の性能が特別でなく室外機２が汎用的な予備データ２０４を使用して動作しても、空気調和機としての動作に問題がないような場合に有効である。これにより、汎用的な予備データ２０４を使用して動作させても問題ない室外機２であるにも拘わらず、不必要に動作が停止することを防いで信頼性を高めることができる。
【００８７】
（実施の形態５）
本発明の実施の形態５における空気調和機は、室外機２のＣＰＵ２０１の処理手順のみが実施の形態４における空気調和機と異なる。したがって、以下実施の形態４と同一の符号を用いて実施の形態５における空気調和機を構成する室外機２のＣＰＵ２０１の処理手順について説明する。
【００８８】
図８は、本発明の実施の形態５における空気調和機を構成する室外機２のＣＰＵ２０１が、電源オンを検知した場合に室外機２を動作させるか否かを判断する処理手順を示すフローチャートである。なお、図８に示す室外機２のＣＰＵ２０１の処理手順のステップＳ５１〜ステップＳ６０のうちのステップＳ５８が追加されていること以外は図７に示した実施の形態４における室外機２のＣＰＵ２０１の処理手順のステップＳ４１〜ステップＳ４９と同様であるので、以下においては詳細な説明を省略する。
【００８９】
ＣＰＵ２０１は、ステップＳ５３においてＥＥＰＲＯＭ２１から制御用データ２１１を読み出すことができないと判断した場合は（Ｓ５３：ＮＯ）、予備データ２０４を使用して室外機２を動作させるように設定されているか否かを判断する（ステップＳ５８）。また、ＣＰＵ２０１は、ステップＳ５４においてＥＥＰＲＯＭ２１から読み出した制御用データ２１１が正常でないと判断した場合は（Ｓ５４：ＮＯ）、前述のステップＳ５８の判断処理を行なう。
【００９０】
ステップＳ５８において、ＣＰＵ２０１が予備データ２０４を使用して室外機２を動作させるように設定されているか否かを判断するのは、例えば図４に示したＥＥＰＲＯＭ２１に記憶された制御用データ２１１において、ｍ番目のアドレスのデータの１５ビット目が１であるか又は０であるかにより判断する。ｍ番目のアドレスのデータの１５ビット目は、接続している室内機１に応じて室外機２を汎用的な予備データ２０４を使用して動作させてもよいか否かによって製造ライン上で書き込まれるデータである。
【００９１】
ＣＰＵ２０１は、ステップＳ５８においてＥＥＰＲＯＭ２１からｍ番目のアドレスを読み出し、ｍ番目のアドレスのデータの１５ビット目が１である場合は、予備データ２０４を使用して室外機２を動作させるように設定されていると判断する。一方、ｍ番目のアドレスのデータの１５ビット目が０である場合は、予備データ２０４を使用して室外機２を動作させるように設定されていないと判断する。なお、ＥＥＰＲＯＭ２１からｍ番目のアドレスのデータを読み出すことができない場合は、予備データ２０４を使用して室外機２を動作させるように設定されていないと判断してもよい。
【００９２】
ＣＰＵ２０１は、予備データ２０４を使用して室外機２を動作させるように設定されていると判断した場合は（Ｓ５８：ＹＥＳ）、ＲＯＭ２０２から予備データ２０４を読み出し（Ｓ５９）、読み出した予備データ２０４を使用して室外機２の動作を開始する（Ｓ６０）。一方、ＣＰＵ２０１は、予備データ２０４を使用して室外機２を動作させるように設定されていないと判断した場合は（Ｓ５８：ＮＯ）、室外機２を動作させずに処理を終了する。
【００９３】
このような構成により、本発明の実施の形態５における空気調和機は、予備データ２０４を使用して室外機２を動作させるか否かを設定することができる。したがって、室内機１の性能が予備データ２０４を使用して動作させた場合空気調和機としての動作に問題があるとき及び問題がないときのどちらの室内機とも接続させることが可能である。しかも、予備データ２０４を使用して動作させるか否かの設定を製造ライン上又は市場に出た後に変更してＥＥＰＲＯＭ２１に記憶させることができるので、このような室外機２は汎用性が高いといえる。
【００９４】
なお、実施の形態５において、室外機２のＣＰＵ２０１が予備データ２０４を使用して室外機２を動作させるように設定されているか否かは、ＥＥＰＲＯＭ２１に記憶されている制御用データ２１１のｍ番目のアドレスのデータの１５ビット目によって判断する構成を示した。しかし本発明はこれに限らず、ＥＥＰＲＯＭ２１の一部のアドレスに、予備データ２０４を使用して室外機２を動作させるか否かの設定を示すフラグ等の情報を記憶させ、その情報の値を読み出して判断する構成でもよい。また、リモコン１１を操作することにより、ユーザ又はメンテナンスの作業者が予備データ２０４を使用して室外機２を動作させるか否かの設定を切り換えることができる構成でもよい。
【００９５】
なお、実施の形態１乃至５の何れか一つにおける空気調和機は、室内機に液晶パネルを有する表示部を備えて、室外機２がＥＥＰＲＯＭ２１から制御用データ２１１を読み出すことができずに動作しないことを室内機１のマイコン１０で検知した場合に異常が発生して動作しない旨を表示部に表示する構成とすることが好ましい。
【図面の簡単な説明】
【００９６】
【図１】本発明の実施の形態１における空気調和機の構成を示すブロック図である。
【図２】本発明の実施の形態１における空気調和機を構成する室外機のＣＰＵが、電源オンを検知した場合に室外機を動作させるか否かを判断する処理手順を示すフローチャートである。
【図３】本発明の実施の形態２における空気調和機を構成する室外機のＣＰＵが、電源オンを検知した場合に室外機を動作させるか否かを判断する処理手順を示すフローチャートである。
【図４】本発明の実施の形態２における空気調和機の室外機のＥＥＰＲＯＭに記憶されている制御用データの構成を示す説明図である。
【図５】本発明の実施の形態３における空気調和機を構成する室外機のＣＰＵが、電源オンを検知した場合に室外機を動作させるか否かを判断する処理手順を示すフローチャートである。
【図６】本発明の実施の形態４における空気調和機の構成を示すブロック図である。
【図７】本発明の実施の形態４における空気調和機を構成する室外機のＣＰＵが、電源オンを検知した場合に室外機を動作させるか否かを判断する処理手順を示すフローチャートである。
【図８】本発明の実施の形態５における空気調和機を構成する室外機のＣＰＵが、電源オンを検知した場合に室外機を動作させるか否かを判断する処理手順を示すフローチャートである。
【符号の説明】
【００９７】
１  室内機
２  室外機
１０，２０  マイコン
２０１  ＣＰＵ
２０２  ＲＯＭ
２０３  ＲＡＭ
２０４  予備データ
２１  ＥＥＰＲＯＭ
２１１  制御用データ
【図１】
2008089241.tif 000003
【図２】
2008089241.tif 000004
【図３】
2008089241.tif 000005
【図４】
2008089241.tif 000006
【図５】
2008089241.tif 000007
【図６】
2008089241.tif 000008
【図７】
2008089241.tif 000009
【図８】
2008089241.tif 000010